(57)【要約】【課題】一般的な駆動速度でインパルシブ駆動を可能にするための表示パネルとこれを具備した表示装置、及びその駆動方法を提供する。【解決手段】ゲート配線及びデータ配線によって囲まれた領域に形成される液晶キャパシタと、ゲート配線が活性化されることによってデータ配線に印加されたデータ電圧を液晶キャパシタに伝達するスイッチング素子と、液晶キャパシタに連結されるストレージキャパシタと、インパルスゲート信号を伝達するインパルスゲート配線と、インパルスゲート配線が活性化されることによってストレージキャパシタの共通電圧を液晶キャパシタに伝達するインパルス駆動素子と、を有する。【選択図】図１
2006309226.tif 000002
【特許請求の範囲】
【請求項１】
ゲート配線及びデータ配線によって囲まれた領域に形成された液晶キャパシタと、
前記ゲート配線にゲート電圧が印加され活性化されることによって、前記データ配線に印加されたデータ電圧を前記液晶キャパシタに伝達するスイッチング素子と、
前記液晶キャパシタに連結されたストレージキャパシタと、
インパルスゲート信号を伝達するインパルスゲート配線と、
前記インパルスゲート配線にインパルスゲート信号が印加され活性化されることによって、共通電圧を前記液晶キャパシタに伝達し、更に前記ストレージキャパシタに伝達するインパルス駆動素子と、を有することを特徴とする表示パネル。
【請求項２】
前記インパルスゲート配線は、前記ゲート配線と平行であることを特徴とする請求項１に記載の表示パネル。
【請求項３】
前記インパルス駆動素子は、前記インパルスゲート配線に電気的に連結されたゲート電極、前記ストレージキャパシタにインパルス電圧を印加するための共通配線に電気的に連結されたソース電極、及び前記液晶キャパシタ及びストレージキャパシタに電気的に連結されたドレイン電極を有することを特徴とする請求項１に記載の表示パネル。
【請求項４】
前記データ配線と平行でインパルス電圧が印加されるインパルスデータ配線を更に有し、
前記インパルス駆動素子は前記インパルスゲート配線にインパルスゲート信号が印加され活性化されることによってインパルス電圧を前記液晶キャパシタに伝達することを特徴とする請求項１に記載の表示パネル。
【請求項５】
前記インパルス駆動素子は、前記インパルスゲート配線に電気的に連結されたゲート電極、前記インパルスデータ配線に電気的に連結されたソース電極、及び前記液晶キャパシタに電気的に連結されたドレイン電極を有することを特徴とする請求項４に記載の表示パネル。
【請求項６】
ゲート配線、データ配線、及び電源電圧配線に囲まれた領域に形成され、共通電圧配線と電気的に連結される有機電界発光素子と、
インパルスゲート信号を伝達するインパルスゲート配線と、
前記有機電界発光素子を駆動させる駆動素子と、
前記ゲート配線にゲート電圧が印加され活性化されることによって、前記データ配線に印加されたデータ電圧を前記駆動素子に伝達するスイッチング素子と、
前記インパルスゲート配線にインパルスゲート信号が印加され活性化されることによって、前記有機電界発光素子に印加された共通電圧を前記駆動素子に伝達するインパルス駆動素子と、を有することを特徴とする表示パネル。
【請求項７】
前記インパルス駆動素子は、前記インパルスゲート配線に電気的に連結されたゲート電極、前記有機電界発光素子に連結された共通電圧配線に電気的に連結されたソース電極、及び前記駆動素子のゲート電極に電気的に連結されたドレイン電極を有することを特徴とする請求項６に記載の表示パネル。
【請求項８】
前記データ配線と平行でインパルス電圧が印加されるインパルスデータ配線を更に有し、
前記インパルス駆動素子は、前記インパルスゲート配線にインパルスゲート信号が印加され活性化されることによってインパルス電圧を前記駆動素子に伝達することを特徴とする請求項６に記載の表示パネル。
【請求項９】
前記インパルス駆動素子は、前記インパルスゲート配線に電気的に連結されたゲート電極、前記インパルスデータ配線に電気的に連結されたソース電極、及び前記駆動素子のゲート電極に電気的に連結されたドレイン電極を有することを特徴とする請求項８に記載の表示パネル。
【請求項１０】
インパルス電圧を出力する駆動電圧発生部と、
データ電圧を出力するデータ駆動部と、
駆動周波数に基づいて第１制御信号、及び前記第１制御信号より一定時間だけ遅延された第２制御信号を出力するタイミング制御部と、
前記第１制御信号に基づいてゲート信号を出力するゲート駆動部と、
前記第２制御信号に基づいてインパルスゲート信号を出力するインパルス駆動部と、
１フレームの第１区間には前記ゲート信号に応答して前記データ電圧に対応する通常階調を表示し、前記１フレームの第２区間には前記インパルスゲート信号に応答して前記インパルス電圧に対応するインパルス階調を表示する表示パネルと、を有することを特徴とする表示装置。
【請求項１１】
前記第１及び第２制御信号は、スキャン開始信号であることを特徴とする請求項１０に記載の表示装置。
【請求項１２】
前記駆動周波数は、実質的に６０Ｈｚ〜８０Ｈｚであることを特徴とする請求項１０に記載の表示装置。
【請求項１３】
前記表示パネルは、階調電圧を充電する液晶キャパシタと、
前記ゲート信号に応答してターンオンし前記液晶キャパシタに前記データ電圧を充電させる第１スイッチング素子と、
前記インパルスゲート信号に応答してターンオンし前記液晶キャパシタに前記インパルス電圧を充電させる第２スイッチング素子と、を有することを特徴とする請求項１０に記載の表示装置。
【請求項１４】
前記表示パネルはストレージキャパシタを更に有し、前記インパルス電圧は前記ストレージキャパシタの共通電圧であることを特徴とする請求項１３に記載の表示装置。
【請求項１５】
前記表示パネルは、無電圧印加状態でブラック階調を表示するノーマリブラックモードであることを特徴とする請求項１４に記載の表示装置。
【請求項１６】
前記表示パネルは、階調を表示する有機電界発光素子と、
有機電界発光素子を駆動する駆動素子と、
前記ゲート信号に応答してターンオンし前記駆動素子に前記データ電圧を伝達するスイッチング素子と、
前記インパルスゲート信号に応答してターンオンし前記駆動素子に前記インパルス電圧を伝達するインパルス駆動素子と、を有することを特徴とする請求項１０に記載の表示装置。
【請求項１７】
前記インパルス電圧は、前記有機電界発光素子に印加される共通電圧であることを特徴とする請求項１６に記載の表示装置。
【請求項１８】
前記タイミング制御部は、遅延時間量を調整して前記第１区間と第２区間の比率を調整することを特徴とする請求項１０に記載の表示装置。
【請求項１９】
前記表示パネルは複数のゲート配線を含み、一つのインパルスゲート信号は、互いに隣接した所定個のゲート配線に共通で同時に印加されることを特徴とする請求項１０記載の表示装置。
【請求項２０】
データ信号を出力する段階と、
インパルス信号を出力する段階と、
ゲート信号を第１画素の第１データスイッチに出力する段階と、
前記ゲート信号に応答して１フレームの第１区間に前記データ信号に対応する階調を前記第１画素に表示する段階と、
前記ゲート信号より一定時間だけ遅延されたインパルスゲート信号を前記第１画素の第１インパルススイッチに出力する段階と、
前記インパルスゲート信号に応答して前記１フレームの第２区間に前記インパルス信号に対応するインパルス階調を前記第１画素に表示する段階と、を有することを特徴とする表示装置の駆動方法。
【請求項２１】
他のデータ信号を出力する段階と、
前記１フレームの前記第１区間に、他のゲート信号を前記第１画素とは異なる第２画素の第２データスイッチに出力する段階と、
前記１フレームの前記第２区間に、前記インパルスゲート信号又は他のインパルスゲート信号を前記第２画素の第２インパルススイッチに印加する段階と、を更に有することを特徴とする請求項２０に記載の表示装置の駆動方法。
【請求項２２】
前記１フレームの前記第２区間に、前記インパルスゲート信号又は他のインパルスゲート信号を前記第２画素の第２インパルススイッチに印加する段階は、前記インパルスゲート信号を前記第２画素の第２インパルススイッチに印加する段階を含むことを特徴とする請求項２１に記載の表示装置の駆動方法。
【請求項２３】
第１画素及び１フレームの第１区間にデータ電圧を出力して第２区間にインパルス電圧を第１画素に出力する第１スイッチング回路を含む第１画素領域と、
第２画素及び前記１フレームの前記第１区間にデータ電圧を第２画素に出力する第２スイッチング回路を含む第２画素領域と、を有することを特徴とする表示装置。
【請求項２４】
前記第２スイッチング回路は、前記１フレームの前記第２区間にインパルス電圧を前記第２画素に出力することを特徴とする請求項２３に記載の表示装置。
【請求項２５】
前記第１スイッチング回路は、データスイッチ、及び該データスイッチと分離されたインパルススイッチを有することを特徴とする請求項２３に記載の表示装置。
【請求項２６】
前記データスイッチ及びインパルススイッチは、それぞれ薄膜トランジスタで構成されていることを特徴とする請求項２５に記載の表示装置。
【請求項２７】
前記第１画素は液晶画素で構成され、前記第１スイッチング回路は前記データ電圧を前記１フレームの前記第１区間に前記液晶画素の液晶キャパシタに印加することを特徴とする請求項２３に記載の表示装置。
【請求項２８】
前記第１スイッチング回路は、前記インパルス電圧を前記１フレームの前記第２区間に前記液晶画素の前記液晶キャパシタに印加することを特徴とする請求項２７に記載の表示装置。
【請求項２９】
前記１フレームの前記第２区間に、前記液晶キャパシタは放電されることを特徴とする請求項２８に記載の表示装置。
【発明の詳細な説明】
【技術分野】
【０００１】
本発明は、表示パネルとこれを具備した表示装置、及びその駆動方法に関し、より詳細には、一般的な駆動速度でインパルシブ（ｉｍｐｕｌｓｉｖｅ）駆動を可能にするための表示パネルとこれを具備した表示装置、及びその駆動方法に関する。
【背景技術】
【０００２】
最近、液晶表示装置は、大型化及び性能向上によって用途が拡大され、テレビ市場に進出して、ＣＲＴ（Ｃａｔｈｏｄｅ  Ｒａｙ  Ｔｕｂｅ）、ＰＤＰ（Ｐｌａｓｍａ  Ｄｉｓｐｌａｙ  Ｐａｎｅｌ）等のような他の表示装置との競争が加速化している。これによって、液晶表示装置は、視野角、色再現性、及び動画像表示特性等において現在より高い性能が要求されている。特に、動画像表示特性がＣＲＴに対して劣るという背景から、動画像表示特性を向上させるための多様な技術が開発されている。
【０００３】
その技術の一つであって、正常画面に連続してブラック画面を挿入するインパルシブ駆動方式が採用されている。このインパルシブ駆動方式は、１フレーム区間の間に正常画面とブラック画面を表示するので、１２０Ｈｚ以上の高速駆動を採用することが必須となる。
【０００４】
しかしながら、このような高速駆動方式を採用することによって液晶セルの充電率に対する駆動マージンが足りないという問題点を生じる。
【発明の開示】
【発明が解決しようとする課題】
【０００５】
そこで、本発明は上記従来の液晶表示装置の駆動方式の問題点に鑑みてなされたものであって、本発明の目的は、一般的な駆動速度でインパルシブ駆動を可能にするための表示パネルを提供することにある。
【０００６】
また、本発明の他の目的は、この表示パネルを具備した表示装置を提供することにある。
【０００７】
また、本発明の更に他の目的は、この表示装置の駆動方法を提供することにある。
【課題を解決するための手段】
【０００８】
上記目的を達成するためになされた本発明の一特徴による表示パネルは、液晶キャパシタ、スイッチング素子、ストレージキャパシタ、インパルスゲート配線、及びインパルス駆動素子を含む。前記液晶キャパシタは、ゲート配線及びデータ配線によって囲まれた領域に形成される。前記スイッチング素子は、前記ゲート配線が活性化されることによって、前記データ配線に印加されたデータ電圧を前記液晶キャパシタに伝達する。前記ストレージキャパシタは、前記液晶キャパシタに連結される。前記インパルスゲート配線は、インパルスゲート信号を伝達する。前記インパルス駆動素子は、前記インパルスゲート配線が活性化されることによって、前記ストレージキャパシタの共通電圧を前記液晶キャパシタに伝達する。
【０００９】
前記インパルス駆動素子は、前記インパルスゲート配線に連結されたゲート電極、前記ストレージキャパシタの共通配線に連結されたソース電極、及び前記液晶キャパシタに連結されたドレイン電極を含む。
【００１０】
前記データ配線と平行でインパルス電圧が印加されるインパルス配線を更に含み、前記インパルス駆動素子は前記インパルスゲート配線が活性化されることによって前記インパルス電圧を前記液晶キャパシタに伝達する。この際、前記インパルス駆動素子は、前記インパルスゲート配線に連結されたゲート電極、前記インパルス配線に連結されたソース電極、及び前記液晶キャパシタに連結されたドレイン電極を含む。
【００１１】
また、上記目的を達成するためになされた本発明の他の特徴による表示パネルは、有機電界発光素子、インパルスゲート配線、駆動素子、スイッチング素子、及びインパルス駆動素子を含む。前記有機電界発光素子は、ゲート配線、データ配線、及び電源電圧配線に囲まれた領域に形成される。前記インパルスゲート配線は、インパルスゲート信号を伝達する。前記駆動素子は、前記有機電界発光素子を駆動させる。前記スイッチング素子は、前記ゲート配線が活性化されることによって、前記データ配線に印加されたデータ電圧を前記駆動素子に伝達する。前記インパルス駆動素子は、前記インパルスゲート配線が活性化されることによって、前記有機電界発光素子の共通電圧を前記駆動素子に伝達する。
【００１２】
上記目的を達成するためになされた本発明の一特徴による表示装置は、電圧発生部、データ駆動部、制御部、ゲート駆動部、インパルス駆動部、及び表示パネルを含む。前記電圧発生部はインパルス電圧を出力し、前記データ駆動部はデータ電圧を出力する。前記制御部は、駆動周波数に基づいて第１制御信号、及び前記第１制御信号より一定時間だけ遅延された第２制御信号を出力する。前記ゲート駆動部は、前記第１制御信号に基づいてゲート信号を出力する。前記インパルス駆動部は、前記第２制御信号に基づいてインパルスゲート信号を出力する。前記表示パネルは、１フレームの第１区間には前記ゲート信号に応答して前記データ電圧に対応する階調を表示し、前記１フレームの第２区間には前記インパルスゲート信号に応答して前記インパルス電圧に対応するインパルス階調を表示する。
【００１３】
上記目的を達成するためになされた本発明の一特徴による表示装置の駆動方法は、データ信号を出力する段階、インパルス信号を出力する段階、ゲート信号を出力する段階、前記ゲート信号に応答して１フレームの第１区間に前記データ信号に対応する階調を表示する段階、前記ゲート信号より一定時間だけ遅延されたインパルスゲート信号を出力する段階、及び前記インパルスゲート信号に応答して前記１フレームの第２区間に前記インパルス信号に対応するインパルス階調を表示する段階を含む。
【発明の効果】
【００１４】
このような本発明の表示パネルとこれを具備した表示装置、及びその駆動方法によれば、単位画素にインパルス駆動のための駆動素子を形成することによって、一般的な駆動速度でインパルシブ駆動を可能にすることができる。これによってインパルシブ駆動時、駆動マージンを確保して動画像表示特性を向上させることができる。
【発明を実施するための最良の形態】
【００１５】
次に、本発明の表示パネルとこれを具備した表示装置、及びその駆動方法を実施するための最良の形態の具体例を、図面を参照しながら説明する。
【００１６】
上述したように、動画像の正確なイメージ具現は非常に重要である。以下に説明するシステムと技術は、動画像のイメージ具現のためのインパルシブ駆動に関するものである。インパルシブ駆動において、ブラックイメージ（又は、他のレファレンス）が画像を表現する普通のイメージ後に挿入される。従って、普通のイメージとブラックイメージは一つのフレームでディスプレイされる。あるインパルス駆動システムでは、レファレンスイメージの挿入のために、例えば、１２０Ｈｚまで駆動周波数を増加させる。しかし、液晶表示（ＬＣＤ）装置で駆動周波数が増加する場合、液晶セルの液晶キャパシタンスの駆動マージンが減少する。
【００１７】
以下に説明するシステムと技術は、より効率的なインパルス駆動のために、画素領域と関連するインパルス駆動回路を提供する。即ち、以下に記述する実施例は駆動周波数を増加させることなく、駆動マージンを向上させる。
【実施例１】
【００１８】
図１は、本発明の一実施例による表示パネルの単位画素に対する等価回路図である。
【００１９】
図１に示すように、単位画素Ｐ１は、ゲート配線ＧＬｎ、データ配線ＤＬｍ、インパルスゲート配線ＩＧＬ、及びインパルスデータ配線ＩＤＬによって定義される。
【００２０】
単位画素Ｐ１は、第１スイッチング素子ＴＦＴ１（単にスイッチング素子と称する場合もある）、液晶キャパシタＣＬＣ、ストレージキャパシタＣＳＴ、及び第２スイッチング素子ＴＦＴ２（インパルス駆動素子と称する場合もある）を含む。第１スイッチング素子ＴＦＴ１と第２スイッチング素子ＴＦＴ２は薄膜トランジスタとして記載されているが、他のスイッチング素子を利用することもできる。
【００２１】
第１スイッチング素子ＴＦＴ１は、ゲート配線ＧＬｎに電気的に連結された第１ゲート電極、データ配線ＤＬｍに電気的に連結された第１ソース電極、及び液晶キャパシタＣＬＣと電気的に連結された第１ドレイン電極を含む。
【００２２】
液晶キャパシタＣＬＣは、第１スイッチング素子ＴＦＴ１と電気的に連結された第１電極、及び共通電圧Ｖｃｏｍが印加される第２電極を含む。
【００２３】
ストレージキャパシタＣＳＴは、第１スイッチング素子ＴＦＴ１と液晶キャパシタＣＬＣとのそれぞれに電気的に連結された第１電極、及び共通電圧Ｖｓｔが印加される第２電極を含む。
【００２４】
第２スイッチング素子ＴＦＴ２は、インパルスゲート配線ＩＧＬと電気的に連結された第２ゲート電極、インパルスデータ配線ＩＤＬと電気的に連結された第２ソース電極、及び液晶キャパシタＣＬＣ及びストレージキャパシタＣＳＴと電気的に連結された第２ドレイン電極を含む。
【００２５】
単位画素Ｐ１の駆動を説明すると、次のようである。
【００２６】
ゲート配線ＧＬｎからゲート信号が印加されると、第１スイッチング素子ＴＦＴ１がターンオンしデータ配線ＤＬｍに印加されたデータ電圧が液晶キャパシタＣＬＣ及びストレージキャパシタＣＳＴにそれぞれ充電される。
【００２７】
液晶キャパシタＣＬＣに充電されたデータ電圧に基づいて、単位画素Ｐ１はデータ電圧に対応する正常階調を表示する。
【００２８】
一方、所定時間後、インパルスゲート配線ＩＧＬにインパルスゲート信号が印加されると、第２スイッチング素子ＴＦＴ２がターンオンしインパルスデータ配線ＩＤＬに印加されたインパルス電圧が液晶キャパシタＣＬＣ及びストレージキャパシタＣＳＴにそれぞれ充電される。インパルス電圧はインパルス駆動のための電圧であって、データ電圧に対して低輝度を有するデータ電圧で、一般的にブラック又はグレイに該当するデータ電圧である。
【００２９】
インパルス電圧によって液晶キャパシタＣＬＣが充電されることによって、単位画素Ｐ１は、インパルス電圧に対応するインパルス階調（例えば、ブラック階調）を表示する。他の一方で、単位画素Ｐ１は、第２スイッチング素子ＴＦＴ２がターンオンすることによって、液晶キャパシタＣＬＣに予め充電されたデータ電圧を放電する。
【実施例２】
【００３０】
図２は、本発明の他の実施例による表示パネルの単位画素に対する等価回路図である。
【００３１】
図２に示すように、単位画素Ｐ２は、ゲート配線ＧＬｎ、データ配線ＤＬｍ、及びインパルスゲート配線ＩＧＬによって定義される。
【００３２】
単位画素Ｐ２は、第１スイッチング素子ＴＦＴ１、液晶キャパシタＣＬＣ、ストレージキャパシタＣＳＴ、及び第２スイッチング素子ＴＦＴ２’を含む。図２に示した第２スイッチング素子ＴＦＴ２’は、図１に示した第２スイッチング素子ＴＦＴ２とは異なり、図１に示したインパルスデータ配線ＩＤＬと連結されない。図２に示した第２スイッチング素子ＴＦＴ２’も薄膜トランジスタではない他のスイッチング素子を適用することができる。ここで、第１スイッチング素子ＴＦＴ１、液晶キャパシタＣＬＣ、及びストレージキャパシタＣＳＴは、前述した図１に示した構成要素と同じなので、詳細な説明は省略する。
【００３３】
第２スイッチング素子ＴＦＴ２’は、第２ゲート電極、第２ソース電極、及び第３ドレイン電極を含む。第２ゲート電極は、インパルスゲート配線ＩＧＬと電気的に連結される。第２ソース電極は、ストレージキャパシタＣＳＴに共通電圧Ｖｓｔを印加する共通配線（図示せず）と電気的に連結される。ドレイン電極は、液晶キャパシタＣＬＣ及びストレージキャパシタＣＳＴと電気的に連結される。
【００３４】
第２スイッチング素子ＴＦＴ２’のソース電極にストレージキャパシタＣＳＴの共通電圧Ｖｓｔが連結されインパルス駆動をする場合には、表示パネルが無電界（無電圧印加）状態でブラック階調を表示するノーマリブラックモードで動作しなければならない。
【００３５】
単位画素Ｐ２の駆動を説明すると、次のようである。
【００３６】
ゲート配線ＧＬｎからゲート信号が印加されると、第１スイッチング素子ＴＦＴ１がターンオンし、データ配線ＤＬｍに印加されたデータ電圧が液晶キャパシタＣＬＣ及びストレージキャパシタＣＳＴにそれぞれ充電される。
【００３７】
液晶キャパシタＣＬＣに充電されたデータ電圧に基づいて単位画素Ｐ２は、データ電圧に対応する正常階調を表示する。
【００３８】
一方、所定時間後、インパルスゲート配線ＩＧＬにインパルスゲート信号が印加されると、第２スイッチング素子ＴＦＴ２’がターンオンし、ストレージキャパシタＣＳＴに印加される共通電圧Ｖｓｔが液晶キャパシタＣＬＣ及びストレージキャパシタＣＳＴにそれぞれ充電される。即ち、共通電圧Ｖｓｔがインパルス電圧になる。
【００３９】
共通電圧Ｖｓｔによって液晶キャパシタＣＬＣが充電されることによって、単位画素Ｐ２は共通電圧Ｖｓｔに対応する非正常階調（例えば、ブラック階調）を表示する。即ち、単位画素Ｐ２は、第２スイッチング素子ＴＦＴ２’がターンオンすることによって、液晶キャパシタＣＬＣに予め充電されたデータ電圧を放電する。
【００４０】
図３は、本発明の一実施例による液晶表示装置の概略的なブロック図である。
【００４１】
図３に示すように、液晶表示装置は、タイミング制御部１１０、駆動電圧発生部１２０、データ駆動部１３０、ゲート駆動部１４０、インパルス駆動部１５０、及び液晶表示パネル１６０を含む。
【００４２】
タイミング制御部１１０は、外部装置から入力された制御信号１０２を駆動周波数に基づいて第１乃至第４制御信号１１１、１１２、１１３、１１４に変換する。駆動周波数は約６０Ｈｚ又は７５Ｈｚである。
【００４３】
制御信号１０２は、メインクロック信号ＭＣＬＫ、水平同期信号ＨＳＹＮＣ、垂直同期信号ＶＳＹＮＣ、及びデータイネーブル信号ＤＥを含む。
【００４４】
第１制御信号１１１は、メインクロック信号ＭＣＬＫを含み、駆動電圧発生部１２０に提供される。
【００４５】
第２制御信号１１２は、水平開始信号ＳＴＨ及びロード信号ＴＰを含み、データ駆動部１３０に提供される。
【００４６】
第３制御信号１１３は、第１スキャン開始信号ＳＴＶ１、第１スキャンクロック信号ＣＰＶ１、及び第１出力イネーブル信号ＯＥ１を含み、ゲート駆動部１４０に提供される。
【００４７】
第４制御信号１１４は、第２スキャン開始信号ＳＴＶ２、第２スキャンクロック信号ＣＰＶ２、及び第２出力イネーブル信号ＯＥ２を含み、インパルス駆動部１５０に提供される。
【００４８】
駆動電圧発生部１２０は、第１制御信号１１１に基づいて表示装置を駆動するための駆動電圧を発生する。具体的に、データ駆動部１３０には基準階調電圧１２１を出力する。ゲート駆動部１４０には、第１ゲート電圧１２２を出力して、インパルス駆動部１５０には、第２ゲート電圧１２３を出力する。液晶表示パネル１６０には、液晶キャパシタの共通電圧Ｖｃｏｍ、ストレージキャパシタＣＳＴの共通電圧Ｖｓｔを出力する。一方、液晶表示パネル１６０が図１に示すような単位画素構造を有する場合、駆動電圧発生部１２０はインパルスデータ配線ＩＤＬに印加されるインパルス電圧を出力する。
【００４９】
データ駆動部１３０は、第２制御信号１１２に基づいて画像データ１１５を、基準階調電圧１２１に基づくアナログ形態のデータ電圧に変換する。データ駆動部１３０は、変換されたアナログ形態のデータ電圧（Ｄ１、Ｄ２、…、ＤＭ）を液晶表示パネル１６０のデータ配線ＤＬに出力する。
【００５０】
ゲート駆動部１４０は、タイミング制御部１１０から提供された第３制御信号１１３、及び駆動電圧発生部１２０から提供された第１ゲート電圧１２２を利用してゲート信号（Ｇ１、Ｇ２、…、ＧＮ）を生成し、生成されたゲート信号（Ｇ１、Ｇ２、…、ＧＮ）を液晶表示パネル１６０のゲート配線ＧＬに出力する。
【００５１】
インパルス駆動部１５０は、タイミング制御部１１０から提供された第４制御信号１１４、及び駆動電圧発生部１２０から提供された第２ゲート電圧１２３を利用してインパルスゲート信号（ＩＧ１、ＩＧ２、…、ＩＧＮ）を生成し、生成されたインパルスゲート信号（ＩＧ１、ＩＧ２、…、ＩＧＮ）を液晶表示パネル１６０のインパルスゲート配線ＩＧＬに出力する。
【００５２】
第３制御信号１１３のうち、第１スキャン開始信号ＳＴＶ１と、第４制御信号１１４のうち、第２スキャン開始信号ＳＴＶ２は所定の遅延差を有する。即ち、第２スキャン開始信号ＳＴＶ２は、第１スキャン開始信号ＳＴＶ１が出力され、所定時間だけ遅延された後に出力される。
【００５３】
結果的に、第２スキャン開始信号ＳＴＶ２によって始まるインパルスゲート信号（ＩＧ１、ＩＧ２、…、ＩＧＮ）は、第１スキャン開始信号ＳＴＶ１によってゲート信号（Ｇ１、Ｇ２、…、ＧＮ）が出力された後、所定時間以後から出力される。これによって、液晶表示パネル１６０は、１フレーム区間の間、データ電圧による正常画面と、インパルス電圧によるインパルス画面が表示される。
【００５４】
液晶表示パネル１６０は、液晶層と、液晶層を収容する第１及び第２基板を含み、図１及び図２に示した単位画素Ｐ１、Ｐ２のうちのいずれか一つの画素構造を有する。
【００５５】
図４は、図３に示した表示パネルの一実施例による平面図である。
【００５６】
図４に示すように、表示パネル１６５は、第１基板１６１と、第２基板１６２及び第１及び第２基板１６１、１６２の間に介在された液晶層１６３を含む。
【００５７】
第１基板１６１は、表示領域ＤＡと、表示領域ＤＡを取り囲む第１乃至第３周辺領域ＰＡ１、ＰＡ２、ＰＡ３とで構成される。
【００５８】
表示領域ＤＡには、第１方向に延長されたデータ配線ＤＬ及びインパルスデータ配線ＩＤＬと、第１方向と交差する第２方向に配列されたゲート配線ＧＬ及びインパルスゲート配線ＩＧＬが形成され、データ配線ＤＬとゲート配線ＧＬによって複数の単位画素が定義される。ここで、インパルスデータ配線ＩＤＬは、図１に示すように、別の配線で形成することもでき、図２に示すように、別の配線を形成することなく、ストレージキャパシタの共通配線を使用することもできる。
【００５９】
第１周辺領域ＰＡ１には、データ配線ＤＬにデータ電圧を出力するデータ駆動チップが搭載されたデータテープキャリアパッケージ（以下、ＴＣＰ）１３１が配置される。第２周辺領域ＰＡ２には、ゲート配線ＧＬにゲート信号を出力する第１ゲート駆動チップが搭載された第１ゲートＴＣＰ１４１が配置される。第３周辺領域ＰＡ３には、インパルスゲート配線ＩＧＬにインパルスゲート信号を出力する第２ゲート駆動チップが搭載された第２ゲートＴＣＰ１５１が配置される。
【００６０】
第２ゲートＴＣＰ１５１の出力端子は、インパルスゲート配線ＩＧＬと一対一でそれぞれ連結される。
【００６１】
図５は、図３に示した表示パネルの他の実施例による平面図である。
【００６２】
図５に示すように、表示パネル２６５は、第１基板２６１と、第２基板２６２及び第１及び第２基板２６１、２６２の間に介在された液晶層２６３を含む。
【００６３】
第１基板２６１は、表示領域ＤＡと表示領域ＤＡを取り囲む第１乃至第３周辺領域ＰＡ１、ＰＡ２、ＰＡ３とで構成される。
【００６４】
表示領域ＤＡには、第１方向に延長されたデータ配線ＤＬ及びインパルスデータ配線ＩＤＬと、第１方向と交差する第２方向に配列されたゲート配線ＧＬ及びインパルスゲート配線ＩＧＬが形成され、データ配線ＤＬとゲート配線ＧＬによって複数の単位画素が定義される。
【００６５】
ここで、インパルスデータ配線ＩＤＬは、図１に示すように、別の配線で形成することもでき、図２に示すように、別の配線を形成することなく、ストレージキャパシタの共通配線を使用することもできる。
【００６６】
第１周辺領域ＰＡ１にはデータＴＣＰ２３１が配置され、第２周辺領域ＰＡ２には第１ゲートＴＣＰ２４２が配置される。第３周辺領域ＰＡ３にはインパルスゲート配線ＩＧＬにインパルスゲート信号を出力する第２ゲートＴＣＰ２５５が配置される。
【００６７】
第２ゲートＴＣＰ２５５の出力端子は、インパルスゲート配線ＩＧＬと一対多で連結される配線構造を有する。即ち、一つのゲートＴＣＰ出力端子に所定個のインパルス配線ＩＧＬが電気的に連結される。
【００６８】
これによって、インパルスゲート駆動チップ（又は、ゲートＴＣＰ）の個数を減少することができる。例えば、図示したように、３個のインパルスゲート配線に一つの出力端子を連結させて、一対一で連結された図４に示したインパルスゲート駆動チップ（又は、ゲートＴＣＰ）より２個減少することができる。
【００６９】
以上の図４及び図５では、ゲートＴＣＰを利用して表示パネルにゲート駆動チップが実装される例を図示したが、表示パネルの周辺領域にアモルファスシリコン薄膜トランジスタを実装してゲート駆動回路を具現することもできる。
【００７０】
図６乃至図１０は、本発明による一実施例のインパルシブ駆動方式を説明するためのタイミング図である。以下では、図３、図４、及び図６乃至図１０を参照して説明する。
【００７１】
タイミング制御部１１０は、ゲート駆動部１４０に、図６に示す第１スキャン開始信号ＳＴＶ１を提供する。
【００７２】
ゲート駆動部１４０は、第１スキャン開始信号ＳＴＶ１のハイパルスが印加されると、Ｎ個のゲート信号（Ｇ１、Ｇ２、…、ＧＮ）を順次出力する。即ち、１フレームを周期としてＮ個のゲート信号（Ｇ１、Ｇ２、…、ＧＮ）が順次出力される。一つのゲート信号は、図７に示すように一つの水平区間１Ｈに対応する。
【００７３】
ゲート信号（Ｇ１、Ｇ２、…、ＧＮ）によって液晶表示パネル１６０のゲート配線（ＧＬ１、ＧＬ２、…、ＧＬＮ）が順次活性化され、これによって第１スイッチング素子ＴＦＴ１がターンオンする。第１スイッチング素子ＴＦＴ１がターンオンすると、液晶キャパシタＣＬＣにデータ電圧が充電され、単位画素はデータ電圧に該当する正常階調をそれぞれ表示する。
【００７４】
タイミング制御部１１０は、インパルス駆動部１５０に、第１スキャン開始信号ＳＴＶ１に対して所定時間だけ遅延された図８に示す第２スキャン開始信号ＳＴＶ２を提供する。
【００７５】
インパルス駆動部１５０は、第２スキャン開始信号ＳＴＶ２のハイパルスが印加されると、Ｎ個のインパルスゲート信号（ＩＧ１、ＩＧ２、…、ＩＧＮ）を順次出力する。即ち、１フレームを周期としてＮ個のゲート信号（ＩＧ１、ＩＧ２、…、ＩＧＮ）が順次出力される。一つのインパルスゲート信号は、図９に示すように一つの水平区間１Ｈに対応する。
【００７６】
インパルスゲート信号（ＩＧ１、ＩＧ２、…、ＩＧＮ）によって液晶表示パネル１６０のインパルスゲート配線（ＩＧＬ１、ＩＧＬ２、…ＩＧＬＮ）が順次活性化され、これによって第２スイッチング素子ＴＦＴ２がターンオンして液晶キャパシタＣＬＣに充電されたデータ電圧を放電させる。即ち、第２スイッチング素子ＴＦＴ２がターンオンすると、インパルス電圧が液晶キャパシタＣＬＣに充電されることによって、単位画素はインパルス階調を表示する。
【００７７】
図１０は、上述のようなインパルシブ駆動による表示パネルの透過率を示すグラフである。図１０に示すように、第１スキャン開始信号ＳＴＶ１のハイパルスが出力され、正常画面が表示される区間Ｄの間は透過率が高い反面、第２スキャン開始信号ＳＴＶ２のハイパルスが出力されインパルス画面が表示される区間Ｂの間は相対的に透過率が低い。
【００７８】
このように、一般駆動速度（例えば、６０Ｈｚ）で１フレーム区間の間に正常画面とインパルス画面を交互に表示するインパルシブ駆動方式を利用して動画像の表示特性を向上させることができる。
【００７９】
又、第１スキャン開始信号ＳＴＶ１と第２スキャン開始信号ＳＴＶ２との遅延時間を調整して、１フレーム画面に表示される正常画面とインパルス画面の比率を多様に調整することができる。
【００８０】
図１１乃至図１５は、本発明による他の実施例のインパルシブ駆動方式を説明するためのタイミング図である。以下では、図３、図５、及び図１１乃至図１５を参照して説明する。
【００８１】
タイミング制御部１１０は、ゲート駆動部１４０に、図１１に示す第１スキャン開始信号ＳＴＶ１を提供する。
【００８２】
ゲート駆動部１４０は、第１スキャン開始信号ＳＴＶ１のハイパルスが印加されると、図１２に示すようにＮ個のゲート信号（Ｇ１、Ｇ２、…、ＧＮ）を順次出力する。
【００８３】
ゲート信号（Ｇ１、Ｇ２、…、ＧＮ）によって液晶表示パネル１６０のゲート配線（ＧＬ１、ＧＬ２、…、ＧＬＮ）が順次活性化され、これによって第１スイッチング素子ＴＦＴ１がターンオンする。第１スイッチング素子ＴＦＴ１がターンオンすると、液晶キャパシタＣＬＣにデータ電圧が充電され、単位画素はデータ電圧に該当する正常階調をそれぞれ表示する。
【００８４】
タイミング制御部１１０は、インパルス駆動部１５０に、第１スキャン開始信号ＳＴＶ１に対して所定時間だけ遅延された図１３に示す第２スキャン開始信号ＳＴＶ２を提供する。
【００８５】
インパルス駆動部１５０は、第２スキャン開始信号ＳＴＶ２のハイパルスが印加されると、Ｎ個のインパルスゲート信号（ＩＧ１、ＩＧ２、…、ＩＧＮ）を順次出力する。
【００８６】
ここで、図５に示すように、ｑ番目のインパルスゲート信号ＩＧｑが３ｑ−２、３ｑ−１、３ｑ番目インパルスゲート配線（ＩＧＬ（３ｑ−１）、ＩＧＬ（３ｑ−２）、ＩＧＬ（３ｑ））に共用に印加される。従って、インパルスゲート信号（ＩＧ１、ＩＧ２、…、ＩＧＮ）は、図１４に示すように液晶表示パネル１６０のインパルスゲート配線（ＩＧＬ１、ＩＧＬ２、…、ＩＧＬＮ）が３個ずつグルーピングされ同時に印加される。
【００８７】
これによって、３個の水平ライン３Ｈに該当する第２スイッチング素子ＴＦＴ２がターンオンし、液晶キャパシタＣＬＣに充電されたデータ電圧を放電させる。即ち、第２スイッチング素子ＴＦＴ２がターンオンすると、インパルス電圧が液晶キャパシタＣＬＣに充電されることによって、単位画素はインパルス階調を表示する。
【００８８】
図１５は、上述のようなインパルシブ駆動による表示パネルの透過率を示すグラフである。図１５に示すように、第１スキャン開始信号ＳＴＶ１のハイパルスが出力され、正常画面が表示される区間Ｄの間は透過率が高い反面、第２スキャン開始信号ＳＴＶ２のハイパルスが出力されインパルス画面が表示される区間Ｂの間は相対的に透過率が低い。
【００８９】
このように、一般駆動速度（例えば、６０Ｈｚ）で１フレーム区間の間に正常画面とインパルス画面を交互に表示するインパルシブ駆動方式を利用して動画像の表示特性を向上させることができる。
【００９０】
又、第１スキャン開始信号ＳＴＶ１と第２スキャン開始信号ＳＴＶ２との遅延時間を調整して、１フレーム画面に表示される正常画面とインパルス画面の比率を多様に調整することができる。
【実施例３】
【００９１】
図１６は、本発明の更に他の実施例による表示パネルの単位画素に対する等価回路図である。
【００９２】
図１６に示すように、単位画素Ｐ３は、ゲート配線ＧＬｎ、データ配線ＤＬｍ、バイアス電圧ＶＬｋ、及びインパルスゲート配線ＩＧＬによって定義される。
【００９３】
単位画素Ｐ３は、スイッチング素子Ｔｓ、駆動素子Ｔｄ、有機電界発光素子（Ｏｒｇａｎｉｃ  Ｌｉｇｈｔ  Ｅｍｉｔｔｉｎｇ  Ｅｌｅｍｅｎｔ）ＥＬ、ストレージキャパシタＣＳＴ、及びインパルス駆動素子Ｔｉを含む。
【００９４】
スイッチング素子Ｔｓは、ゲート配線ＧＬｎと電気的に連結されたゲート電極と、データ配線ＤＬｍに電気的に連結されたソース電極、及び駆動素子Ｔｄと電気的に連結されたドレイン電極を含む。
【００９５】
駆動素子Ｔｄは、スイッチング素子Ｔｓと電気的に連結されたゲート電極と、バイアス電圧配線ＶＬｋと電気的に連結されたソース電極、及び有機電界発光素子ＥＬと電気的に連結されたドレイン電極を含む。
【００９６】
有機電界発光素子ＥＬは、駆動素子Ｔｄと電気的に連結された第１端と、共通電圧Ｖｃｏｍが印加される共通電圧配線（図示せず）と電気的に連結された第２端を含む。
【００９７】
ストレージキャパシタＣＳＴは、バイアス電圧配線ＶＬｋと電気的に連結された第１端と、スイッチング素子Ｔｓ及び駆動素子Ｔｄと電気的に連結された第２端を含む。
【００９８】
インパルス駆動素子Ｔｉは、インパルスゲート配線ＩＧＬと電気的に連結されたゲート電極と、有機電界発光素子ＥＬに共通電圧Ｖｃｏｍを印加する共通電圧配線（図示せず）と電気的に連結されたソース電極、及び駆動素子Ｔｄと電気的に連結されたドレイン電極を含む。
【００９９】
単位画素Ｐ３の駆動を説明すると、次のようである。
【０１００】
ゲート配線ＧＬｎからゲート信号が印加されると、スイッチング素子Ｔｓがターンオンし、データ配線ＤＬｍに印加されたデータ電圧が駆動素子Ｔｄに印加される。駆動素子Ｔｄに印加されたデータ電圧は有機電界発光素子ＥＬに印加され、有機電界発光素子ＥＬはデータ電圧に対応して発光する。単位画素Ｐ３は、データ電圧に該当する正常階調を表示する。
【０１０１】
一方、所定時間以後、インパルスゲート配線ＩＧＬにインパルスゲート信号が印加されると、インパルス駆動素子Ｔｉがターンオンし、共通電圧Ｖｃｏｍが駆動素子Ｔｄに印加される。駆動素子Ｔｄに印加された共通電圧Ｖｃｏｍは、有機電界発光素子ＥＬに印加され、有機電界発光素子ＥＬは、共通電圧Ｖｃｏｍに応答して消える。即ち、有機電界発光素子ＥＬは放電される。結果的に、共通電圧Ｖｃｏｍはインパルス電圧になって、単位画素Ｐ３にブラック階調を表示させる。
【０１０２】
以上では、インパルス電圧として有機電界発光素子ＥＬに印加される共通電圧Ｖｃｏｍを使用する例を説明したが、別のインパルスデータ配線を形成して別のインパルス電圧を印加することもできるのは自明である。
【０１０３】
図１７は、本発明の他の実施例による有機発光表示装置の概略的なブロック図である。
【０１０４】
図１７に示すように、有機発光表示装置は、タイミング制御部３１０、駆動電圧発生部３２０、データ駆動部３３０、ゲート駆動部３４０、インパルス駆動部３５０、及びＯＬＥＤ（Ｏｒｇａｎｉｃ  Ｌｉｇｈｔ  Ｅｍｉｔｔｉｎｇ  Ｄｉｓｐｌａｙ）パネル３６０を含む。
【０１０５】
タイミング制御部３１０は、外部装置から入力された制御信号３０２を駆動周波数に基づいて、第１乃至第４制御信号３１１、３１２、３１３、３１４に変換する。駆動周波数は約６０Ｈｚ又は７５Ｈｚである。
【０１０６】
タイミング制御部３１０は、外部装置から入力された原始データ３０４を信号処理して画像データ３１５として出力する。
【０１０７】
第１制御信号３１１は駆動電圧発生部３２０に提供され、第２制御信号３１２はデータ駆動部３３０に提供され、第３制御信号３１３はゲート駆動部３４０に提供され、第４制御信号３１４はインパルス駆動部３５０に提供される。
【０１０８】
第３制御信号３１３は第１スキャン開始信号ＳＴＶ１、第１スキャンクロック信号ＣＰＶ１、及び第１出力イネーブル信号ＯＥ１を含み、第４制御信号３１４は、第２スキャン開始信号ＳＴＶ２、第２スキャンクロック信号ＣＰＶ２、及び第２出力イネーブル信号ＯＥ２を含む。
【０１０９】
駆動電圧発生部３２０は、第１制御信号３１１に基づいて表示装置を駆動するための駆動電圧を発生する。具体的に、データ駆動部３３０には基準階調電圧３２１を出力する。ゲート駆動部３４０には、第１ゲート電圧３２２を出力して、インパルス駆動部３５０には、第２ゲート電圧３２３を出力する。ＯＬＥＤパネル３６０には、有機電界発光素子ＥＬの共通電圧Ｖｃｏｍ、バイアス電圧ＶＬを出力する。
【０１１０】
一方、ＯＬＥＤパネル３６０が、図１に示すように、別のインパルスデータ配線ＩＤＬが形成された場合には、駆動電圧発生部３２０はインパルスデータ配線ＩＤＬに印加されるインパルス電圧を出力する。
【０１１１】
データ駆動部３３０は、第２制御信号３１２に基づいて画像データ３１５を、基準階調電圧３２１に基づくアナログ形態のデータ電圧に変換する。データ駆動部３３０は、変換されたアナログ形態のデータ電圧（Ｄ１、Ｄ２、…、ＤＭ）をＯＬＥＤパネル３６０のデータ配線ＤＬに出力する。
【０１１２】
ゲート駆動部３４０は、第３制御信号３１３及び第１ゲート電圧３２２を利用してゲート信号（Ｇ１、Ｇ２、…、ＧＮ）を生成し、ＯＬＥＤパネル３６０のゲート配線ＧＬに出力する。
【０１１３】
インパルス駆動部３５０は、第４制御信号３１４及び第２ゲート電圧３２３を利用してインパルスゲート信号（ＩＧ１、ＩＧ２、…、ＩＧＮ）を生成し、ＯＬＥＤパネル３６０のインパルスゲート配線ＩＧＬに出力する。
【０１１４】
第３制御信号３１３のうち、第１スキャン開始信号ＳＴＶ１と、第４制御信号３１４のうち、第２スキャン開始信号ＳＴＶ２は所定の遅延差を有する。即ち、第２スキャン開始信号ＳＴＶ２によって始まるインパルスゲート信号は、第１スキャン開始信号ＳＴＶ１によって始まるゲート信号が出力された後、所定時間以後から出力される。これによって、ＯＬＥＤパネル３６０は、１フレーム区間の間、データ電圧による正常画面と、インパルス電圧によるインパルス画面が表示される。
【０１１５】
ＯＬＥＤパネル３６０は、図１６に示すような単位画素構造Ｐ３を有する。ＯＬＥＤパネル３６０のインパルスゲート信号の印加方法は、上述した図４及び図５に示すように多様に具現することができ、それに対する詳細な説明は省略する。
【０１１６】
又、図１７に示した有機発光表示装置のインパルシブ駆動方式も、上述した図６乃至図１０と、図１１乃至図１５に示すように多様に具現することができ、それに対する詳細な説明は省略する。
【０１１７】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１１８】
【図１】本発明の一実施例による表示パネルの単位画素に対する等価回路図である。
【図２】本発明の他の実施例による表示パネルの単位画素に対する等価回路図である。
【図３】本発明の一実施例による液晶表示装置の概略的なブロック図である。
【図４】図３に示した表示パネルの一実施例による平面図である。
【図５】図３に示した表示パネルの他の実施例による平面図である。
【図６】本発明による一実施例のインパルシブ駆動方式を説明するためのタイミング図である。
【図７】本発明による一実施例のインパルシブ駆動方式を説明するためのタイミング図である。
【図８】本発明による一実施例のインパルシブ駆動方式を説明するためのタイミング図である。
【図９】本発明による一実施例のインパルシブ駆動方式を説明するためのタイミング図である。
【図１０】本発明による一実施例のインパルシブ駆動方式を説明するためのタイミング図である。
【図１１】本発明による他の実施例のインパルシブ駆動方式を説明するためのタイミング図である。
【図１２】本発明による他の実施例のインパルシブ駆動方式を説明するためのタイミング図である。
【図１３】本発明による他の実施例のインパルシブ駆動方式を説明するためのタイミング図である。
【図１４】本発明による他の実施例のインパルシブ駆動方式を説明するためのタイミング図である。
【図１５】本発明による他の実施例のインパルシブ駆動方式を説明するためのタイミング図である。
【図１６】本発明の更に他の実施例による表示パネルの単位画素に対する等価回路図である。
【図１７】本発明の更に他の実施例による有機発光表示装置の概略的なブロック図である。
【符号の説明】
【０１１９】
１１０、３１０    タイミング制御部
１２０、３２０    駆動電圧発生部
１３０、３３０    データ駆動部
１４０、３４０    ゲート駆動部
１５０、３５０    インパルス駆動部
１６０    液晶表示パネル
３６０    ＯＬＥＤパネル
【図１】
2006309226.tif 000003
【図２】
2006309226.tif 000004
【図３】
2006309226.tif 000005
【図４】
2006309226.tif 000006
【図５】
2006309226.tif 000007
【図６】
2006309226.tif 000008
【図７】
2006309226.tif 000009
【図８】
2006309226.tif 000010
【図９】
2006309226.tif 000011
【図１０】
2006309226.tif 000012
【図１１】
2006309226.tif 000013
【図１２】
2006309226.tif 000014
【図１３】
2006309226.tif 000015
【図１４】
2006309226.tif 000016
【図１５】
2006309226.tif 000017
【図１６】
2006309226.tif 000018
【図１７】
2006309226.tif 000019